(57)【特許請求の範囲】
【請求項１】
エアゾール缶１の上面の環状突部２に肩カバー４を嵌着し、かつ、上面中央から突出するステム３に押下げ噴出ヘッド５を嵌着したエアゾール容器において、上記肩カバー４の中央部から上記押下げ噴出ヘッド５の昇降を案内する案内筒６を立設し、また、上記押下げ噴出ヘッド５に回動自在な制御片10を装着して、該制御片と上記案内筒６との間に、該制御片の回動に伴いその押下げ噴出ヘッド５の押し下げを阻止、開放、持続させる切換え制御手段を講じ、そして、上記肩カバー４の外周面適所に工具挿入用切込み15を形成したことを特徴とするエアゾール容器。
【請求項２】
エアゾール缶１の上面の環状突部２に肩カバー４を嵌着し、かつ、上面中央から突出するステム３に押下げ噴出ヘッド５を嵌着したエアゾール容器において、上記肩カバー４の中央部から上記押下げ噴出ヘッド５を囲繞してその昇降を案内する案内筒６を立設し、該案内筒の前面と後面にそれぞれ切欠７，８を設けて、前面の切欠７に上記押下げ噴出ヘッド５のノズル９を開通させ、また、その押下げ噴出ヘッド５の上面中央に前後方向に長い制御片10を水平回動自在に装着して、該制御片の前端部11と後端部12を１８０度の整数倍の水平回動角で押下げ噴出ヘッド５の押下げに伴い上記前面の切欠７と後面の切欠８とに正逆任意に挿入させるよう構成するとともに、その他の角度ではその案内筒６の頂面と衝合させるよう構成し、更に、上記前面の切欠７には、両内側面上部に係止突子13を突設し、かつ、上記制御片10の後端部12には、両側面に押下げ噴出ヘッド５の押下げに伴いその係止突子13へと係合させる係合突子14を設け、そして、上記肩カバー４の外周面適所に工具挿入用切込み15を形成したことを特徴とするエアゾール容器。
【発明の詳細な説明】
【０００１】
【発明の属する技術分野】
本発明は、エアゾール容器に関するものである。
【０００２】
【従来の技術】
金属製のエアゾール缶は、通常、上面中央に押し下げによって内容物を吐出する弁付きのステムを備えており、該ステムの周りには、製缶過程で生じる環状突部（巻締め接合部）を有している。そして、そのステムには、合成樹脂製の押下げ噴出ヘッドを嵌着しており、また、多くの場合、その環状突部に合成樹脂製の肩カバーを嵌装している。
【０００３】
ところで、本出願人は、この種のエアゾール容器において、既に次のものを開発している。
▲１▼  商品流通過程等での押下げ噴出ヘッドの無用な押し下げを防止するようにしたもの（例えば特開平8‐324660号公報）。
▲２▼  廃棄処分において残ガスにより破裂が生じるのを防ぐために廃棄時の残ガスを排出する手段を設けたもの（例えば特開平9‐40046 号公報）。
▲３▼  廃棄時に資源ゴミとしての分別回収に供するために金属製のエアゾール缶と合成樹脂製の押下げ噴出ヘッド及び肩カバーとを容易に分離できるようにしたもの（例えば特開平9‐58766 号公報）。
【０００４】
【発明が解決しようとする課題】
本発明は、これらの開発の一環として、それらの機能を併せ具有する合理的かつ簡潔で便利なエアゾール容器を提供しようととするものである。
【０００５】
【課題を解決するための手段】
上記目的達成のため、請求項１の発明は、エアゾール缶１の上面の環状突部２に肩カバー４を嵌着し、かつ、上面中央から突出するステム３に押下げ噴出ヘッド５を嵌着したエアゾール容器において、上記肩カバー４の中央部から上記押下げ噴出ヘッド５の昇降を案内する案内筒６を立設し、また、上記押下げ噴出ヘッド５に回動自在な制御片10を装着して、該制御片と上記案内筒６との間に、該制御片の回動に伴いその押下げ噴出ヘッド５の押し下げを阻止、開放、持続させる切換え制御手段を講じ、そして、上記肩カバー４の外周面適所に工具挿入用切込み15を形成したことを特徴とする。
【０００６】
請求項２の発明は、エアゾール缶１の上面の環状突部２に肩カバー４を嵌着し、かつ、上面中央から突出するステム３に押下げ噴出ヘッド５を嵌着したエアゾール容器において、上記肩カバー４の中央部から上記押下げ噴出ヘッド５を囲繞してその昇降を案内する案内筒６を立設し、該案内筒の前面と後面にそれぞれ切欠７，８を設けて、前面の切欠７に上記押下げ噴出ヘッド５のノズル９を開通させ、また、その押下げ噴出ヘッド５の上面中央に前後方向に長い制御片10を水平回動自在に装着して、該制御片の前端部11と後端部12を１８０度の整数倍の水平回動角で押下げ噴出ヘッド５の押下げに伴い上記前面の切欠７と後面の切欠８とに正逆任意に挿入させるよう構成するとともに、その他の角度ではその案内筒６の頂面と衝合させるよう構成し、更に、上記前面の切欠７には、両内側面上部に係止突子13を突設し、かつ、上記制御片10の後端部12には、両側面に押下げ噴出ヘッド５の押下げに伴いその係止突子13へと係合させる係合突子14を設け、そして、上記肩カバー４の外周面適所に工具挿入用切込み15を形成したことを特徴とする。
【０００７】
【発明の実施の形態】
図面は、本発明の実施の形態を示している。
図において、１は、金属製の既成のエアゾール缶、２は、該エアゾール缶の製缶過程で缶上面に生じた環状突部（巻締め接合部）、３は、該環状突部の囲成内部の上面中央に設けたステムであり、該ステムは、押し下げによって内容物を吐出する弁付きのものである。
４は、エアゾール缶１の上記環状突部２に嵌着した肩カバーで、中央部から押下げ噴出ヘッド５を囲繞してその昇降を案内する案内筒６を立設している。
５は、ステム３に嵌着した押下げ噴出ヘッドで、前面にステム３へと連通する四角筒状のノズル９を突設している。
10は、該押下げ噴出ヘッド５の頂面中央に水平回動可能に装着した前後方向に長い平面形状銃弾状の制御片であり、該制御片と上記案内筒６との間に、該制御片の回動に伴い押下げ噴出ヘッド５の押し下げを阻止、開放、持続させる切換え制御手段を講じている。
15は、肩カバー４の外周面の後部に形成した工具挿入用切込みである。
これらの肩カバー４、押下げ噴出ヘッド５及び制御片10は、それぞれ合成樹脂により成形して成る。
【０００８】
肩カバー４の案内筒６には、前面に深い切欠７を、また、後面に浅い切欠８を設けて、前面の切欠７に押下げ噴出ヘッド５のノズル９を押し下げ可能に挿通させている。
押下げ噴出ヘッド５の頂壁16の中央には、外周縁に抜止め突条を有する軸筒17を立設し、制御片10の内面中央には、内周縁にその抜止め突条と係合する抜止め突条を有する嵌合筒18を垂設して、該嵌合筒をその軸筒17に回動可能にかつ抜け出し不能に嵌合させることにより、制御片10を押下げ噴出ヘッド５の頂面中央に水平回動可能に装着している。
制御片10は、前後方向に長い銃弾状のものであるが、前端部11と後端部12を１８０度の正逆の水平回動で上記前面の切欠７と後面の切欠８とに正逆任意に挿入させることができるようにして、その押下げ噴出ヘッド５の押し下げを可能にし、その他の角度では案内筒６の頂面へ衝合させて、押下げ噴出ヘッド５の押し下げを阻止するようにし、かつ、その案内筒６の頂面の適所に位置決め突子19を乗り越え可能に突設して、該位置決め突子に制御片10を突き当てることで９０度の水平回動で位置保持できるようにしている。
更に、上記前面の切欠７には、両内側面上部に係止突子13を突設し、制御片10の後端部12両側面に押下げ噴出ヘッド５の押下げに伴いその係止突子13へと係合させる係合突子14を設けて、制御片10の逆向き姿勢において係止突子13と係合突子14とを係合させることにより、押下げ噴出ヘッド５の押し下げ態勢を持続させるようにしている。
肩カバー４の工具挿入用切込み15は、肩カバー４の外周面の後部にコ字状に形成している。なお、位置については、後部に限るものではなく、目立ち易いところであればよい。
なお、押下げ噴出ヘッド５の下端外縁には、抜け止め用のストッパー21を突設して、該ストッパーを案内筒６内下部に形成した下向き段部22に衝合させるようにしている。
【０００９】
如上の構成であるから、制御片10を水平回動させることで、押下げ噴出ヘッド５の押し下げを阻止、開放、持続の３態様に切り換えることができる。
つまり、図１乃至図４に示す制御片10が前方へ向かう正姿勢のときは、制御片10の前端部11と後端部12が、案内筒６の前面の切欠７と後面の切欠８に自由に入出し、押下げ噴出ヘッド５の作動が開放されて自由に押し下げでき、一般需要者における通常の使用が可能となる。
また、図５に示す制御片10が横向きのときは、制御片10の両端部11，12が案内筒６の頂面に突き当たって、押下げ噴出ヘッド５の押し下げが阻止されることとなり、商品流通過程等における押下げ噴出ヘッド５の無用の押し下げを防止することができる。
更に、図６に示す制御片10が後方へ向かう逆姿勢のときは、押下げ噴出ヘッド５の押し下げに伴い制御片後端部12の係合突子14が案内筒前面の切欠７にある係止突子13に係合して、押下げ噴出ヘッド５の押し下げ態勢を持続する。これにより廃棄時の残ガスを十分に排除でき、廃棄処分における破裂を防止できる。
そして、廃棄時には、肩カバー４の工具挿入用切込み15にドライバー等を差し込んでその切込みによって形成される舌片20を折り倒し又は破断除去し、そのドライバー等で肩カバー４をこじ上げて、エアゾール缶１の環状突部２から離脱させ、かつ、押下げ噴出ヘッド５をステム３から取り外すことで、資源ゴミとしてのそれぞれ分別回収に供することができる。
【００１０】
【発明の効果】
本発明によれば、記述構成であるから、制御片10の単なる回動だけで、押下げ噴出ヘッド５の押し下げ動作につき、阻止、開放、持続の３態様に簡単に切り換えることができ、したがって、その押し下げ阻止態勢により、商品流通過程等での押下げ噴出ヘッド５の無用な押し下げを的確に防止でき、押し下げ開放態勢により、一般需要者における通常の使用が自由に行え、また、押し下げ持続態勢により、廃棄時の残ガスを的確に排除できて、廃棄処分における残ガスによる破裂を防止でき、しかも、廃棄時には、肩カバー４の工具挿入用切込み15にドライバー等を差し込んで、該ドライバー等により肩カバー４及び押下げ噴出ヘッド５を簡単にエアゾール缶１から分離させることができ、難なく資源ゴミとしての分別回収に供することができ、そのようにそれらの機能を併せ具有するにもかかわらず、その構成を合理的かつ簡潔なものにでき、頗る便利重宝である。
【図面の簡単な説明】
【図１】  本発明の実施の形態における前方から見た通常使用態勢の斜視図である。
【図２】  同截断側面図である。
【図３】  同要部の平面図である。
【図４】  同要部の一部分を拡大して示す平面図である。
【図５】  同実施の形態における前方から見た押下げ噴出ヘッド押し下げ阻止態勢の斜視図である。
【図６】  同実施の形態における前方から見た押下げ噴出ヘッド押し下げ持続直前態勢の斜視図である。
【図７】  同実施の形態における後方から見た通常使用態勢の斜視図である。
【符号の説明】
１…エアゾール缶                ２…環状突部
３…ステム                      ４…肩カバー
５…押下げ噴出ヘッド            ６…案内筒
７，８…切欠                    ９…ノズル
10…制御片                      11…前端部
12…後端部                      13…係止突子
14…係合突子                    15…工具挿入用切込み
16…頂壁                        17…軸筒
18…嵌合筒                      19…位置決め突子
20…舌片                        21…ストッパー
22…下向き段部
【図１】
0003683707.tif 000002
【図２】
0003683707.tif 000003
【図３】
0003683707.tif 000004
【図４】
0003683707.tif 000005
【図５】
0003683707.tif 000006
【図６】
0003683707.tif 000007
【図７】
0003683707.tif 000008